(57)【要約】【課題】負荷の接続状態を判別するための特定の手段を別途設けることを要せず、消費電力をより抑えながら負荷の接続状態を判別することが容易となる、電力変換装置を提供する。【解決手段】負荷が着脱可能に接続される負荷接続部と、供給される直流電力を変圧させた上で交流電力に変換する電力変換動作、を行う電力処理部と、を備え、前記電力処理部には、前記負荷接続部へ導通する容量素子が設けられており、接続された負荷へ前記交流電力を供給する電力変換装置であって、前記負荷が接続される前において、前記電力変換動作を行わずに、前記負荷接続部へ導通している前記容量素子に蓄えられた電荷の放電速度を監視し、該監視の結果に基づいて前記負荷が接続されたか否かを判別する電力変換装置とする。【選択図】図４
2014068488.tif 000002
【特許請求の範囲】
【請求項１】
負荷が着脱可能に接続される負荷接続部と、
供給される直流電力を変圧させた上で交流電力に変換する電力変換動作、を行う電力処理部と、を備え、
前記電力処理部には、前記負荷接続部へ導通する容量素子が設けられており、
接続された負荷へ前記交流電力を供給する電力変換装置であって、
前記負荷が接続される前において、
前記電力変換動作を行わずに、前記負荷接続部へ導通している前記容量素子に蓄えられた電荷の放電速度を監視し、該監視の結果に基づいて前記負荷が接続されたか否かを判別することを特徴とする電力変換装置。
【請求項２】
蓄電池が設けられ、
前記電力変換動作は、
前記蓄電池から供給される直流電力を変圧させた上で交流電力に変換する動作、であることを特徴とする請求項１に記載の電力変換装置。
【請求項３】
前記電力処理部は、
一次側コイルの一端が前記蓄電池に、二次側コイルの一端が前記負荷接続部にそれぞれ繋がるトランスと、
前記一次側コイルの他端と接地点との間に設けられたスイッチ素子と、を備え、
前記スイッチ素子のオン／オフ切替を繰返すスイッチング動作の実行によって、前記変圧が行われるようにし、
前記容量素子は、
前記二次側コイルの一端に接続された平滑コンデンサであることを特徴とする請求項２に記載の電力変換装置。
【請求項４】
前記監視が行われる間、
前記スイッチング動作を間欠的に実行することにより、前記容量素子に電荷を補充することを特徴とする請求項３に記載の電力変換装置。
【請求項５】
前記容量素子の一端の電圧値に基づいて前記監視を行い、
前記電圧値の下降速度が既定の判別条件を満たしたときに、前記負荷が接続されたと判別し、
前記負荷が接続されたと判別された場合に、前記電力変換動作を開始させることを特徴とする請求項１から請求項４の何れかに記載の電力変換装置。
【発明の詳細な説明】
【技術分野】
【０００１】
本発明は、供給電力の電圧等を変換する電力変換装置に関する。
【背景技術】
【０００２】
従来、蓄電池を搭載した蓄電池システム（電力変換装置の一形態）が提案されている。当該蓄電池システムによれば、蓄電池のＤＣ電圧を適切に（例えば日本国内仕様であるなら、ＡＣ１００Ｖの電圧に）変換して電気機器（負荷）へ出力し、電気機器を動作させることができる。
【０００３】
このような蓄電池システムとしては、無駄な電力消費の抑制や安全性等の観点から、負荷の接続状態（負荷が接続されているか否か）を判別する機能を備え、この判別結果に応じて、通常の電力変換を行うように構成されたものがある。一例としては、電気機器の接続時に限り、蓄電池システム内のインバータ回路等を動作させるものがある。
【０００４】
なお特許文献１には、負荷側への出力電流値を計測し、その結果に応じてスタンバイモードに移行するものが開示されている。また特許文献２には、負荷の接続状態を判別するための特定の手段（構造）を別途設けたものが開示されている。
【先行技術文献】
【特許文献】
【０００５】
【特許文献１】特開２００２−３５４８０２号公報
【特許文献２】特開昭６１−２７３１７８号公報
【発明の概要】
【発明が解決しようとする課題】
【０００６】
蓄電池システムにおいて負荷の接続状態を判別するための特定の手段を別途設ける場合、その分、蓄電池システムの仕様設計等に制約が生じることや、蓄電池システムの構造が複雑になること等が問題となる。そのため蓄電池システムは、このような特定の手段を別途設けることを要せずに、負荷の接続状態を判別できることが望ましい。
【０００７】
また負荷側への出力電流値に基づいて負荷の接続状態を判別しようとする場合には、ＡＣ出力部（負荷が接続され、交流電力を出力する部分）に負荷が接続されていない状態でも、ＡＣ出力部へ電源を供給し続けておかなくてはならない。
【０００８】
ＡＣ出力部へ電源を供給するためには、例えば蓄電池システムが有するインバータ回路により、蓄電池のＤＣ電源がＡＣ電源へ変換される。その結果、ＡＣ出力部へ負荷が接続されていない場合でも、ＡＣ電源を供給するためにインバータ回路が動作し続けるため、この状態での内部消費電力により、蓄電池のエネルギーが消費される。
【０００９】
ＡＣ出力部に負荷が接続されていない状態では、負荷が無いため、実際にはＡＣ出力部へ電源を供給する必要は無い。しかし負荷が接続されたか否かは、別途特別な検出回路等を設けない限り、出力電流自体を計測することにより行われる。そのため蓄電池システムとしては、常に負荷が接続される状態を待機、すなわちＡＣ出力部に電源を供給しておく必要がある。
【００１０】
このように、負荷が接続されておらずともＡＣ出力部に電源を供給し続けること自体が、内部消費電力の増大をもたらし、蓄電池の残量を低減させることとなるジレンマがある。なお上述した問題は蓄電池システムに限らず、負荷が着脱可能に接続される種々の電力変換装置に該当し得る。
【００１１】
本発明は上述した問題に鑑み、負荷の接続状態を判別するための特定の手段を別途設けることを要せず、消費電力をより抑えながら負荷の接続状態を判別することが容易となる電力変換装置の提供を目的とする。
【課題を解決するための手段】
【００１２】
本発明に係る電力変換装置は、負荷が着脱可能に接続される負荷接続部と、供給される直流電力を変圧させた上で交流電力に変換する電力変換動作、を行う電力処理部と、を備え、前記電力処理部には、前記負荷接続部へ導通する容量素子が設けられており、接続された負荷へ前記交流電力を供給する電力変換装置であって、前記負荷が接続される前において、前記電力変換動作を行わずに、前記負荷接続部へ導通している前記容量素子に蓄えられた電荷の放電速度を監視し、該監視の結果に基づいて前記負荷が接続されたか否かを判別する構成とする。
【００１３】
本構成によれば、負荷の接続状態を判別するための特定の手段を別途設けることを要せず、消費電力をより抑えながら負荷の接続状態を判別することが容易となる。
【００１４】
また上記構成としてより具体的には、蓄電池が設けられ、前記電力変換動作は、前記蓄電池から供給される直流電力を変圧させた上で交流電力に変換する動作、である構成としてもよい。
【００１５】
また上記構成としてより具体的には、前記電力処理部は、一次側コイルの一端が前記蓄電池に、二次側コイルの一端が前記負荷接続部にそれぞれ繋がるトランスと、前記一次側コイルの他端と接地点との間に設けられたスイッチ素子と、を備え、前記スイッチ素子のオン／オフ切替を繰返すスイッチング動作の実行によって、前記変圧が行われるようにし、前記容量素子は、前記二次側コイルの一端に接続された平滑コンデンサである構成としてもよい。
【００１６】
また上記構成としてより具体的には、前記監視が行われる間、前記スイッチング動作を間欠的に実行することにより、前記容量素子に電荷を補充する構成としてもよい。
【００１７】
また上記構成としてより具体的には、前記容量素子の一端の電圧値に基づいて前記監視を行い、前記電圧値の下降速度が既定の判別条件を満たしたときに、前記負荷が接続されたと判別し、前記負荷が接続されたと判別された場合に、前記電力変換動作を開始させる構成としてもよい。
【００１８】
また上記構成としてより具体的には、前記電力処理部は、前記容量素子と前記負荷接続部の間にフルブリッジ構造のインバータ回路を有しており、前記インバータ回路は、前記監視が行われる間、前記容量素子と前記負荷接続部を結ぶ一経路がオープンとなるように制御される構成としてもよい。
【発明の効果】
【００１９】
本発明に係る電力変換装置によれば、負荷の接続状態を判別するための特定の手段を別途設けることを要せず、消費電力をより抑えながら負荷の接続状態を判別することが容易となる。
【図面の簡単な説明】
【００２０】
【図１】本実施形態に係る蓄電池システムのブロック図である。
【図２】本実施形態に係る蓄電池システムの構成に関する説明図である。
【図３】定点αの電圧波形に関するグラフである。
【図４】定点αの電圧波形に関するグラフである。
【図５】各ＦＥＴ（Ｑ１〜Ｑ４）のＶgsに関するグラフである。
【図６】ＡＣアウトレット１４の電圧波形に関するグラフである。
【発明を実施するための形態】
【００２１】
［蓄電池システムの構成等］
本発明の一実施形態について、各図面を参照しながら以下に説明する。図１は、本実施形態に係る蓄電池システム１（電力変換装置の一形態）のブロック図である。なお後述する通り、負荷２（電気機器等）は蓄電池システム１に対して着脱可能となっている。図１は一例として、蓄電池システム１に負荷２が接続されているときの形態を表している。
【００２２】
本図に示すように蓄電池システム１は、蓄電池１１、昇圧回路１２、インバータ回路１３、ＡＣアウトレット１４、およびマイクロコンピュータ１５等を有している。また図２は、蓄電池システム１における、蓄電池１１からＡＣアウトレット１４までのより具体的な回路構成を示している。
【００２３】
図２に示すように、蓄電池１１は、正極が電解コンデンサＣ１の一端および絶縁トランスＴ１の一次側コイルの一端に接続され、負極が接地されている。電解コンデンサＣ１の他端は接地されている。絶縁トランスＴ１の一次側コイルの他端は、ＦＥＴ［Field Effect Transistor］（Ｑ５）のドレインに接続されている。ＦＥＴ（Ｑ５）のゲートは制御回路ＣＳに接続されており、ＦＥＴ（Ｑ５）のソースは接地されている。
【００２４】
絶縁トランスＴ１の二次側コイルの一端は、整流ダイオードＤ１のアノードに接続されており、整流ダイオードＤ１やインバータ回路１３等を介してＡＣアウトレット１４へ繋がっている。整流ダイオードＤ１のカソードは、平滑コンデンサＣ２（電解コンデンサ）の一端、ＦＥＴ（Ｑ１）のドレイン、およびＦＥＴ（Ｑ２）のドレインに接続されている。また絶縁トランスＴ１の二次側コイルの他端は、平滑コンデンサＣ２の他端、ＦＥＴ（Ｑ３）のソース、およびＦＥＴ（Ｑ４）のソースに接続されている。
【００２５】
ＦＥＴ（Ｑ２）のソースは、ＦＥＴ（Ｑ３）のドレインおよびリアクトルＬ１の一端に接続されている。ＦＥＴ（Ｑ１）のソースは、ＦＥＴ（Ｑ４）のドレインおよびリアクトルＬ２の一端に接続されている。リアクトルＬ１の他端はＡＣアウトレット１４の一方の端子に接続され、リアクトルＬ２の他端はＡＣアウトレット１４の他方の端子に接続されている。またＡＣアウトレット１４の一方の端子にはコンデンサＣ３の一端が接続され、ＡＣアウトレット１４の他方の端子にはコンデンサＣ３の他端が接続されている。
【００２６】
蓄電池１１は、充放電可能に構成されており、直流電力（本実施形態では一例として、ＤＣ２４Ｖの電力）を昇圧回路１２に供給する。なお蓄電池システム１には、商用電源等を用いて蓄電池１１を充電するための充電機構（不図示）が設けられている。また蓄電池１１は、蓄電池システム１の本体に対して着脱可能となっていても良い。
【００２７】
昇圧回路１２は、制御回路ＣＳ、ＦＥＴ（Ｑ５）（スイッチングＦＥＴ）、絶縁トランスＴ１、整流ダイオードＤ１、および平滑コンデンサＣ２等により構成されている。制御回路ＣＳは、マイクロコンピュータ１５から受けるオン／オフ命令に従って、ＦＥＴ（Ｑ５）のオン／オフ（ソース−ドレイン間の導通／遮断）が切替わるように、ＦＥＴ（Ｑ５）のゲートへ信号を出力する。
【００２８】
ＦＥＴ（Ｑ５）がスイッチング動作（オン／オフ切替を繰返す動作）を行うとき、絶縁トランスＴ１の一次側に交流電力が生成され、絶縁トランスＴ１の巻線数の比に応じた昇圧が行われる。昇圧された交流電力は、整流ダイオードＤ１および平滑コンデンサＣ２等の作用により、直流電力とされる。
【００２９】
このようにして昇圧回路１２は、蓄電池１１から供給された直流電力を昇圧させる昇圧動作を行い、昇圧させた直流電力をインバータ回路１３に送出することが可能である。なお本実施形態では一例として、昇圧回路１２によってＤＣ２００Ｖ程度に昇圧される。また本実施形態ではこのように昇圧（変圧の一形態）が行われるが、昇圧の代わりに降圧が行われるようになっていても構わない。
【００３０】
インバータ回路１３は、各ＦＥＴ（Ｑ１〜Ｑ４）を用いて構成された、フルブリッジ構造のインバータ回路である。各ＦＥＴ（Ｑ１〜Ｑ４）は、マイクロコンピュータ１５から送られるオン／オフ命令に応じた信号がゲートに入力され、オン／オフが制御される。このようにしてインバータ回路１３は、昇圧回路１２から受ける直流電力を交流電力に変換し、ＡＣアウトレット１４に向けて送出する。なお本実施形態では一例として、インバータ回路１３によってＡＣ１００Ｖの電力に変換される。
【００３１】
ＡＣアウトレット１４は、負荷２が着脱可能に接続される構成となっている。ＡＣアウトレット１４に負荷２が接続されているとき、インバータ回路１３から送出される交流電力は、ＡＣアウトレット１４を介して負荷２へ供給されることになる。負荷２が接続されていないときには、ＡＣアウトレット１４の両端子は解放状態である。
【００３２】
マイクロコンピュータ１５は、蓄電池システム１における各部の監視や制御を行うように構成されている。マイクロコンピュータ１５が行う動作には、蓄電池１１の残量情報を取得する動作、および、蓄電池システム１の出力電流・電圧の情報を取得する動作が含まれる。またマイクロコンピュータ１５が行う動作には、先述したオン／オフ命令を出すことにより、昇圧回路１２およびインバータ回路１３の各々を制御する動作が含まれる。
【００３３】
マイクロコンピュータ１５は、蓄電池１１から供給される直流電力を昇圧させた上で交流電力に変換する動作（以下、「電力変換動作」と称する）が行われるように、昇圧回路１２およびインバータ回路１３を制御することができる。これにより、負荷２がＡＣアウトレット１４に接続されている状況において、電力変換動作によって生成された交流電力を負荷２へ供給し、負荷２を動作させることが可能である。
【００３４】
［待機動作について］
またマイクロコンピュータ１５は、負荷２がＡＣアウトレット１４に接続される前において、上述した電力変換動作の開始を待機する待機動作を行う。待機動作は、電力変換動作が行われないようにしつつ負荷２の接続状態を監視し、負荷２が接続されたこと（予め接続されている電源ＯＦＦの負荷２が、電源ＯＮとされた場合等も含む）が判明した場合に、電力変換動作が開始されるようにする動作である。
【００３５】
以下、この待機動作の内容について、図３〜図６に示す各グラフを参照しながら、より詳細に説明する。
【００３６】
なお図３は、負荷２が接続される前の待機動作時における定点α（図２に示す）の電圧波形を示している。図４は、負荷２が接続されるタイミングの前後における定点αの電圧波形を示している。図５は、負荷２が接続されるタイミングの前後における各ＦＥＴ（Ｑ１〜Ｑ４）のＶgs（ゲート−ソース電圧）の様子を示している。なお各ＦＥＴは、Ｖgsがハイ（Ｈ）レベルのときはオンの状態であり、Ｖgsがロー（Ｌ）レベルのときはオフの状態である。図６は、負荷２が接続されるタイミングの前後におけるＡＣアウトレット１４の電圧波形を示している。
【００３７】
待機動作の一環としてマイクロコンピュータ１５は、昇圧回路１２に対しては、ＦＥＴ（Ｑ５）が間欠的なスイッチング動作（間欠発振）を行うように制御する。これによりＦＥＴ（Ｑ５）は、所定の周期Ｔｓごとに所定の期間Ｔａだけスイッチング動作を行い、その余の期間Ｔｂではスイッチング動作を停止する。このようにＦＥＴ（Ｑ５）は、定期的に、発振状態と発振停止状態を繰返す。
【００３８】
すなわち期間Ｔａでは、ＦＥＴ（Ｑ５）がスイッチング動作を行うことにより、絶縁トランスＴ１の二次側が昇圧（本実施形態では一例として、１４１Ｖ程度に昇圧）し、平滑コンデンサＣ２に電荷が補充される。このように、ＦＥＴ（Ｑ５）がスイッチング動作を間欠的に実行することによって、その都度、平滑コンデンサＣ２に電荷が補充される。
【００３９】
そのため図３に示すように、期間Ｔａでは、平滑コンデンサＣ２への電荷の補充が進むに連れて、定点αの電圧が上昇する。なお期間Ｔａは、このような電荷の補充が十分に行われるように、かつ、長くなり過ぎて負荷接続の判別に支障を来すことがないように、予め適切な長さに設定されている。
【００４０】
また期間Ｔｂでは、平滑コンデンサＣ２に蓄えられた電荷が、蓄電池システム１内の各所（例えば図２に示されていない回路ブロック）等へ、徐々に放電される。そのため図３に示すように、期間Ｔｂでは、平滑コンデンサＣ２からの放電が進むに連れて、定点αの電圧が下降（減衰）している。
【００４１】
なお周期Ｔｓは、当該放電によって平滑コンデンサＣ２に蓄えられている電荷が少なくなり過ぎないように（つまり、少なくなり過ぎる前に電荷が補充されるように）、予め適切な長さに設定されている。
【００４２】
但し負荷２が接続される前においては、当該放電はゆっくりと進行し、定点αの電圧の下降スピードは遅い。換言すれば図３に示すように、定点αの電圧波形は、緩やかな減衰カーブを描く。そのため周期Ｔｓは、比較的長い時間に設定することが可能である。定点αの電圧が下がり過ぎないように維持される限り、例えば期間Ｔｂが数秒間となるように、周期Ｔｓを設定しておくことが出来る。
【００４３】
また待機動作の一環としてマイクロコンピュータ１５は、インバータ回路１３に対しては、ＦＥＴ（Ｑ２）とＦＥＴ（Ｑ４）がオンし続けるように（Ｖgsがハイレベルを維持するように）制御する。つまりインバータ回路１３は、平滑コンデンサＣ２とＡＣアウトレット１４を結ぶ一経路がオープンとなるように制御される。これにより平滑コンデンサＣ２および絶縁トランスＴ１の二次側コイルの一端は、ＡＣアウトレット１４へ導通した状態に維持される。
【００４４】
マイクロコンピュータ１５は、昇圧回路１２とインバータ回路１３をこのように制御しつつ、定点αの電圧値（平滑コンデンサＣ２の一端の電圧値）を監視する。なお当該監視は、比較的高い頻度で（例えば100μsecレベルのオーダーの周期ごとに）電圧値を検出することにより、実現される。
【００４５】
マイクロコンピュータ１５は、当該監視を行っている間、期間Ｔｂにおける定点αの電圧の下降速度が既定の判別条件Ｐを満たしたか否かの判別を、継続的に実行する。そしてマイクロコンピュータ１５は、判別条件Ｐが満たされた場合には、ＡＣアウトレット１４に負荷２が接続されたと判別する。
【００４６】
この判別条件Ｐとしては、その趣旨を逸脱しない限り、種々の条件が採用され得る。一例として、判別条件Ｐは「予め定められている一定の基準速度を超えたとき」という条件であっても良い。また他の一例として、負荷２が未接続であるときの定点αの電圧波形（図３に示す波形の情報）をマイクロコンピュータ１５に標準波形として記憶させておき、判別条件Ｐは「標準波形からの偏差が所定量を超えたとき」という条件であっても良い。また、定点αの電圧の減衰率について変曲点が検知されたときに、判別条件Ｐが満たされるようにしても良い。
【００４７】
なお図４に示すように、ＡＣアウトレット１４に負荷２が接続されると、これによって平滑コンデンサＣ２の放電は急速に進むことになり、定点αの電圧は急激に下降する。そのためこの時点で判別条件Ｐが満たされることになり、マイクロコンピュータ１５は、ＡＣアウトレット１４に負荷２が接続されたと判別することが出来る。つまりマイクロコンピュータ１５は、定点αの電圧の減衰カーブを検知し、負荷２の接続の有無による当該減衰カーブの時間的挙動の差異を検出することにより、負荷の接続状態を判別することが出来る。
【００４８】
そしてマイクロコンピュータ１５は、負荷２が接続されたと判別したときには、所定の準備動作を経て、電力変換動作が開始されるようにする。
【００４９】
より具体的には、マイクロコンピュータ１５は負荷２が接続されたと判別すると、次回の間欠発振の再開（次の期間Ｔａの到来）を待たず昇圧回路１２を連続動作させるように、昇圧回路１２へオン／オフ命令を出す。これにより以降は、図４に示すように、定点αは２００Ｖ程度に昇圧されることとなる。
【００５０】
一方でマイクロコンピュータ１５は、負荷２が接続されたと判別すると、直ちにＦＥＴ（Ｑ２）とＦＥＴ（Ｑ４）をオフとしてフルブリッジを構成する４個のＦＥＴ（Ｑ１〜Ｑ４）が全てオフとなるように、インバータ回路１３へオン／オフ命令を出す。これにより図６に示すように、負荷２が接続された直後から、ＡＣアウトレット１４の電位は一旦ゼロ電位となる。
【００５１】
その後、マイクロコンピュータ１５は、定点αが２００Ｖ程度に達したことを確認すると、出力波形が正弦波（サイン波）となるようにインバータ回路１３へオン／オフ命令を出す。これにより以降は図５に示す通り、インバータ回路１３の出力波形が正弦波となるように、各ＦＥＴ（Ｑ１〜Ｑ４）のオン／オフ切替が行われる。その結果、図６に示す通り、ＡＣアウトレット１４へＡＣ電圧が供給されるようになり、電力変換動作が開始されることとなる。
【００５２】
［その他］
以上に説明した通り、本実施形態に係る蓄電池システム１は、負荷２が着脱可能に接続されるＡＣアウトレット１４（負荷接続部）と、蓄電池１１から供給される直流電力を変圧させた上で交流電力に変換する電力変換動作、を行う電力処理部（主に昇圧回路１２およびインバータ回路１３からなる機能部）と、を備えている。また当該電力処理部には、ＡＣアウトレット１４へ導通する平滑コンデンサＣ２（容量素子）が設けられており、蓄電池システム１は、接続された負荷２へ当該交流電力を供給する。
【００５３】
そして蓄電池システム１は負荷２が接続される前において、電力変換動作を行わずに、ＡＣアウトレット１４へ導通している平滑コンデンサＣ２に蓄えられた電荷の放電速度を監視し、該監視の結果に基づいて負荷２が接続されたか否かを判別する。なお容量素子に蓄えられた電荷の放電速度を監視する手法として、本実施形態では容量素子の一端の電圧値を監視する手法が採用されているが、その他の手法が採用されても構わない。
【００５４】
蓄電池システム１はこのような特徴を有するため、負荷の接続状態を判別するための特定の手段を別途設けることを要せず、消費電力をより抑えながら負荷の接続状態を判別することが容易となっている。
【００５５】
すなわち負荷の接続状態を判別する手段として、一般的には、ＡＣ出力の２線以外に追加の信号線を用いて、負荷と電気的な通信（簡単なHigh/Lowの信号通信も含む）を行う手段や、ＡＣ出力部に機構的なスイッチ、あるいは光学的なセンサーを配置し、ＡＣ出力部にコンセントが挿入されているかを判定する手段等が、採用されることがある。
【００５６】
しかしこのように、負荷の接続状態を判別するための特定の手段を別途設ける場合には、その分、蓄電池システムの仕様設計等に制約が生じることや、蓄電池システムの構造が複雑となるといったこと等が問題となる。この点、本実施形態の蓄電池システム１では、蓄電池システムが一般的に備えている構成等を利用して負荷の接続状態が判別されるため、このような問題は抑えられる。なお本実施形態での平滑コンデンサＣ２のような容量素子は、一般的な電力変換装置に本来設けられているものに過ぎず、負荷の接続状態を判別するための特定の手段として別途設けられたものには該当しない。
【００５７】
また、ＡＣ出力部へ電源を供給し続けておくことにより負荷の接続状態を判別しようとする場合には、内部消費電力の増大により、蓄電池の残量の低減等が問題となる。この点、本実施形態の蓄電池システム１では、平滑コンデンサＣ２（容量素子）へ適切に電荷が補充される程度に、間欠的に電源供給がなされれば十分である。そのため蓄電池システム１によれば、消費電力をより抑えながら負荷の接続状態を判別することが可能である。
【００５８】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。例えば上記実施形態では、電力変換装置として蓄電池システムを例示したが、本発明は他の形態の電力変換装置にも適用され得る。
【００５９】
また本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００６０】
本発明は、蓄電池システム等に利用することができる。
【符号の説明】
【００６１】
１      蓄電池システム（電力変換装置）
１１    蓄電池
１２    昇圧回路
１３    インバータ回路
１４    ＡＣアウトレット（負荷接続部）
１５    マイクロコンピュータ
２      負荷
Ｃ１    電解コンデンサ
Ｃ２    昇圧回路の平滑コンデンサ（容量素子）
Ｃ３    コンデンサ
ＣＳ    制御回路
Ｄ１    整流ダイオード
Ｌ１、Ｌ２    リアクトル
Ｑ１〜Ｑ４    インバータ回路のフルブリッジを構成するＦＥＴ
Ｑ５    昇圧回路のスイッチングＦＥＴ（スイッチ素子）
Ｔ１    絶縁トランス
【図１】
2014068488.tif 000003
【図２】
2014068488.tif 000004
【図３】
2014068488.tif 000005
【図４】
2014068488.tif 000006
【図５】
2014068488.tif 000007
【図６】
2014068488.tif 000008